(57)【要約】【課題】第１の図像と第２の図像とで、それらの図像に設定された設定値の違いを操作者に提示する情報処理装置を提供する。【解決手段】情報処理装置の表示手段は、少なくともユーザーによって設定値が設定された第１の図像と第２の図像に対して、予め定められた操作を検知した場合は、該第１の図像と該第２の図像の異なる設定値を表示する。【選択図】図１
2020113021.tif 000002
【特許請求の範囲】
【請求項１】
少なくともユーザーによって設定値が設定された第１の図像と第２の図像に対して、予め定められた操作を検知した場合は、該第１の図像と該第２の図像の異なる設定値を表示する表示手段
を有する情報処理装置。
【請求項２】
前記予め定められた操作として、前記第１の図像に対する操作中に、前記第２の図像を選択する操作である、
請求項１に記載の情報処理装置。
【請求項３】
前記予め定められた操作として、前記第１の図像と前記第２の図像とを選択する操作、又は、前記第１の図像を移動して前記第２の図像に重ね合わせる操作のいずれかを用いる、
請求項２に記載の情報処理装置。
【請求項４】
前記表示手段は、さらに、前記第１の図像と前記第２の図像に設定された機能の範疇が同じであることを条件として、該第１の図像に関連付けられた設定値と該第２の図像に関連付けられた設定値とを比較可能に表示する、
請求項１に記載の情報処理装置。
【請求項５】
前記表示手段は、両者が同じ設定値である場合は、該設定値を表示しない、
請求項４に記載の情報処理装置。
【請求項６】
前記第１の図像が選択されたことを検知した場合は、該第１の図像の周辺に該第１の図像の範疇と同じ範疇の図像を配置する配置手段
をさらに有する請求項１に記載の情報処理装置。
【請求項７】
前記配置手段によって配置の処理が行われた後に、前記第１の図像の周辺に配置された図像に対する操作が行われずに、該第１の図像の選択が解除された場合は、該配置手段による配置以前の状態に戻す、
請求項６に記載の情報処理装置。
【請求項８】
前記第１の図像の選択がされたことを検知した場合は、該第１の図像の範疇と同じ範疇の図像のみを表示する第２の表示手段
をさらに有する請求項１に記載の情報処理装置。
【請求項９】
前記第１の図像の選択がされたことを検知した場合は、該第１の図像の範疇と異なる範疇の図像の表示を非表示にする第２の表示手段
をさらに有する請求項１に記載の情報処理装置。
【請求項１０】
前記第２の表示手段による処理が行われた後に、前記第１の図像以外の図像に対する操作が行われずに、該第１の図像の選択が解除された場合は、該第２の表示手段による処理以前の状態に戻す、
請求項８又は９に記載の情報処理装置。
【請求項１１】
前記第１の図像の選択がされたことを検知した場合は、該第１の図像と異なる設定値の数を該第１の図像以外の図像上又は周辺に表示する第３の表示手段
をさらに有する請求項１に記載の情報処理装置。
【請求項１２】
前記第３の表示手段は、異なる設定値の数が少ない順に並び替えて前記第１の図像以外の図像を表示する、
請求項１１に記載の情報処理装置。
【請求項１３】
前記第１の図像の選択がされたことを検知した場合は、該第１の図像と異なる設定値の数が予め定められた数より多い又は以上である図像と該予め定められた数以下又は未満である図像とを異なる形態で表示する第４の表示手段
をさらに有する請求項１に記載の情報処理装置。
【請求項１４】
前記第１の図像又は第２の図像の名称を提案する提案手段
をさらに有する請求項１に記載の情報処理装置。
【請求項１５】
前記提案手段は、前記第１の図像と第２の図像とで異なる設定値名又は設定値を含む名称を提案する、
請求項１４に記載の情報処理装置。
【請求項１６】
前記第１の図像は選択されたならば該第１の図像に関連付けられた機能を即時に実行するものであって、
前記第１の図像と異なる設定値の数が予め定められた数以下又は未満である図像を抽出する抽出手段
をさらに有し、
前記表示手段は、前記第１の図像が選択された場合は、前記機能を実行する前に、該第１の図像に関連付けられた設定値と前記抽出手段によって抽出された図像に関連付けられた設定値とを比較可能に表示する、
請求項１に記載の情報処理装置。
【請求項１７】
前記第１の図像に設定された機能の範疇が同じである図像を抽出する第２の抽出手段と、
前記第１の図像と前記第２の抽出手段によって抽出された図像をグループ化するグループ化手段
をさらに有する請求項１に記載の情報処理装置。
【請求項１８】
コンピュータを、
少なくともユーザーによって設定値が設定された第１の図像と第２の図像に対して、予め定められた操作を検知した場合は、該第１の図像と該第２の図像の異なる設定値を表示する表示手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、生成を指示された表示要素に関連付けられた機能及び設定と、既に生成されている表示要素に関連付けられた機能及び設定とが同一であっても、表示要素の操作属性が異なれば、生成を指示された表示要素を生成することを課題とし、情報処理装置では、操作受付部が、自装置の機能及びその機能における設定に関連付けられた表示要素の生成を指示する生成指示操作と、表示要素が特定の操作者以外の操作者により操作されないか操作されるかを示す表示要素の操作属性を指定する指定操作とを受け付け、機能ボタン情報更新部が、生成指示操作により生成を指示された第１の表示要素に関連付けられた機能及び設定と、既に生成されている第２の表示要素に関連付けられた機能及び設定とが同一であり、かつ、第１の表示要素の操作属性と、第２の表示要素の操作属性とが異なる場合に、第１の表示要素を生成することが開示されている。
【先行技術文献】
【特許文献】
【０００３】
【特許文献１】特開２０１７−０２１４０８号公報
【発明の概要】
【発明が解決しようとする課題】
【０００４】
ユーザーによって予め設定値を設定させ、その設定値で動作する処理を示す新たな図像を作成することが行われている。
しかし、類似する図像が作成された場合、ユーザーが望む設定値に対応する図像がどれであるかわからなくなる場合がある。
本発明は、第１の図像と第２の図像とで、それらの図像に設定された設定値の違いを操作者に提示する情報処理装置及び情報処理プログラムを提供することを目的としている。
【課題を解決するための手段】
【０００５】
かかる目的を達成するための本発明の要旨とするところは、次の各項の発明に存する。
請求項１の発明は、少なくともユーザーによって設定値が設定された第１の図像と第２の図像に対して、予め定められた操作を検知した場合は、該第１の図像と該第２の図像の異なる設定値を表示する表示手段を有する情報処理装置である。
【０００６】
請求項２の発明は、前記予め定められた操作として、前記第１の図像に対する操作中に、前記第２の図像を選択する操作である、請求項１に記載の情報処理装置である。
【０００７】
請求項３の発明は、前記予め定められた操作として、前記第１の図像と前記第２の図像とを選択する操作、又は、前記第１の図像を移動して前記第２の図像に重ね合わせる操作のいずれかを用いる、請求項２に記載の情報処理装置である。
【０００８】
請求項４の発明は、前記表示手段は、さらに、前記第１の図像と前記第２の図像に設定された機能の範疇が同じであることを条件として、該第１の図像に関連付けられた設定値と該第２の図像に関連付けられた設定値とを比較可能に表示する、請求項１に記載の情報処理装置である。
【０００９】
請求項５の発明は、前記表示手段は、両者が同じ設定値である場合は、該設定値を表示しない、請求項４に記載の情報処理装置である。
【００１０】
請求項６の発明は、前記第１の図像が選択されたことを検知した場合は、該第１の図像の周辺に該第１の図像の範疇と同じ範疇の図像を配置する配置手段をさらに有する請求項１に記載の情報処理装置である。
【００１１】
請求項７の発明は、前記配置手段によって配置の処理が行われた後に、前記第１の図像の周辺に配置された図像に対する操作が行われずに、該第１の図像の選択が解除された場合は、該配置手段による配置以前の状態に戻す、請求項６に記載の情報処理装置である。
【００１２】
請求項８の発明は、前記第１の図像の選択がされたことを検知した場合は、該第１の図像の範疇と同じ範疇の図像のみを表示する第２の表示手段をさらに有する請求項１に記載の情報処理装置である。
【００１３】
請求項９の発明は、前記第１の図像の選択がされたことを検知した場合は、該第１の図像の範疇と異なる範疇の図像の表示を非表示にする第２の表示手段をさらに有する請求項１に記載の情報処理装置である。
【００１４】
請求項１０の発明は、前記第２の表示手段による処理が行われた後に、前記第１の図像以外の図像に対する操作が行われずに、該第１の図像の選択が解除された場合は、該第２の表示手段による処理以前の状態に戻す、請求項８又は９に記載の情報処理装置である。
【００１５】
請求項１１の発明は、前記第１の図像の選択がされたことを検知した場合は、該第１の図像と異なる設定値の数を該第１の図像以外の図像上又は周辺に表示する第３の表示手段をさらに有する請求項１に記載の情報処理装置である。
【００１６】
請求項１２の発明は、前記第３の表示手段は、異なる設定値の数が少ない順に並び替えて前記第１の図像以外の図像を表示する、請求項１１に記載の情報処理装置である。
【００１７】
請求項１３の発明は、前記第１の図像の選択がされたことを検知した場合は、該第１の図像と異なる設定値の数が予め定められた数より多い又は以上である図像と該予め定められた数以下又は未満である図像とを異なる形態で表示する第４の表示手段をさらに有する請求項１に記載の情報処理装置である。
【００１８】
請求項１４の発明は、前記第１の図像又は第２の図像の名称を提案する提案手段をさらに有する請求項１に記載の情報処理装置である。
【００１９】
請求項１５の発明は、前記提案手段は、前記第１の図像と第２の図像とで異なる設定値名又は設定値を含む名称を提案する、請求項１４に記載の情報処理装置である。
【００２０】
請求項１６の発明は、前記第１の図像は選択されたならば該第１の図像に関連付けられた機能を即時に実行するものであって、前記第１の図像と異なる設定値の数が予め定められた数以下又は未満である図像を抽出する抽出手段をさらに有し、前記表示手段は、前記第１の図像が選択された場合は、前記機能を実行する前に、該第１の図像に関連付けられた設定値と前記抽出手段によって抽出された図像に関連付けられた設定値とを比較可能に表示する、請求項１に記載の情報処理装置である。
【００２１】
請求項１７の発明は、前記第１の図像に設定された機能の範疇が同じである図像を抽出する第２の抽出手段と、前記第１の図像と前記第２の抽出手段によって抽出された図像をグループ化するグループ化手段をさらに有する請求項１に記載の情報処理装置である。
【００２２】
請求項１８の発明は、コンピュータを、少なくともユーザーによって設定値が設定された第１の図像と第２の図像に対して、予め定められた操作を検知した場合は、該第１の図像と該第２の図像の異なる設定値を表示する表示手段として機能させるための情報処理プログラムである。
【発明の効果】
【００２３】
請求項１の情報処理装置によれば、第１の図像と第２の図像とで、それらの図像に設定された設定値の違いを操作者に提示することができる。
【００２４】
請求項２の情報処理装置によれば、設定値の違いを提示するのに、操作者は、第１の図像に対する操作中に、第２の図像を選択する操作を用いることができる。
【００２５】
請求項３の情報処理装置によれば、設定値の違いを提示するのに、操作者は、第１の図像と第２の図像とを選択する操作、又は、第１の図像を移動して第２の図像に重ね合わせる操作のいずれかを用いることができる。
【００２６】
請求項４の情報処理装置によれば、第１の図像と第２の図像に設定された機能の範疇が同じである場合に、それらの図像に設定された設定値の違いを操作者に提示することができる。
【００２７】
請求項５の情報処理装置によれば、図像に設定された全ての項目を比較可能に表示する場合に比べて、表示する項目を減らすことができる。
【００２８】
請求項６の情報処理装置によれば、第１の図像の周辺にその第１の図像の範疇と同じ範疇の図像を配置するのに、操作者は、その第１の図像を選択する操作を用いることができる。
【００２９】
請求項７の情報処理装置によれば、操作者が、第１の図像の周辺に配置された図像に対する操作を行わずに、その第１の図像の選択を解除した場合、元の状態に配置を戻すことができる。
【００３０】
請求項８の情報処理装置によれば、第１の図像の範疇と同じ範疇の図像のみを表示するのに、操作者は、その第１の図像を選択する操作を用いることができる。
【００３１】
請求項９の情報処理装置によれば、第１の図像の範疇と異なる範疇の図像の表示を非表示とするのに、操作者は、その第１の図像を選択する操作を用いることができる。
【００３２】
請求項１０の情報処理装置によれば、操作者が、第１の図像の周辺に配置された図像に対する操作を行わずに、その第１の図像の選択を解除した場合、元の状態に配置を戻すことができる。
【００３３】
請求項１１の情報処理装置によれば、第１の図像と異なる設定値の数をその第１の図像以外の図像上又は周辺に表示するのに、操作者は、その第１の図像を選択する操作を用いることができる。
【００３４】
請求項１２の情報処理装置によれば、異なる設定値の数が少ない順に、第１の図像以外の図像を表示することができる。
【００３５】
請求項１３の情報処理装置によれば、第１の図像と異なる設定値の数が予め定められた数より多い又は以上である図像とその予め定められた数以下又は未満である図像とを異なる形態で表示するのに、操作者は、その第１の図像を選択する操作を用いることができる。
【００３６】
請求項１４の情報処理装置によれば、第１の図像又は第２の図像の名称を提案することができる。
【００３７】
請求項１５の情報処理装置によれば、第１の図像又は第２の図像の名称として、異なる設定値名又は設定値を含む名称を提案することができる。
【００３８】
請求項１６の情報処理装置によれば、第１の図像は選択されたならばその第１の図像に関連付けられた機能を即時に実行するものである場合であっても、第１の図像と第２の図像とで、それらの図像に設定された設定値の違いを操作者に提示することができる。
【００３９】
請求項１７の情報処理装置によれば、第１の図像と、その第１の図像に設定された機能の範疇が同じである図像をグループ化することができる。
【００４０】
請求項１８の情報処理プログラムによれば、第１の図像と第２の図像とで、それらの図像に設定された設定値の違いを操作者に提示することができる。
【図面の簡単な説明】
【００４１】
【図１】本実施の形態の構成例についての概念的なモジュール構成図である。
【図２】本実施の形態を利用したシステム構成例を示す説明図である。
【図３】アイコン管理テーブルのデータ構造例を示す説明図である。
【図４】本実施の形態による処理例を示すフローチャートである。
【図５】本実施の形態による処理例を示す説明図である。
【図６】本実施の形態による処理例を示す説明図である。
【図７】本実施の形態による処理例を示す説明図である。
【図８】本実施の形態による処理例を示す説明図である。
【図９】本実施の形態による処理例を示すフローチャートである。
【図１０】本実施の形態による処理例を示す説明図である。
【図１１】本実施の形態による処理例を示すフローチャートである。
【図１２】本実施の形態による処理例を示す説明図である。
【図１３】本実施の形態による処理例を示す説明図である。
【図１４】本実施の形態による処理例を示す説明図である。
【図１５】本実施の形態による処理例を示す説明図である。
【図１６】本実施の形態による処理例を示すフローチャートである。
【図１７】本実施の形態による処理例を示すフローチャートである。
【図１８】本実施の形態による処理例を示す説明図である。
【図１９】本実施の形態による処理例を示す説明図である。
【図２０】本実施の形態による処理例を示す説明図である。
【図２１】本実施の形態による処理例を示す説明図である。
【図２２】本実施の形態による処理例を示すフローチャートである。
【図２３】本実施の形態による処理例を示すフローチャートである。
【図２４】本実施の形態による処理例を示す説明図である。
【図２５】本実施の形態による処理例を示すフローチャートである。
【図２６】本実施の形態による処理例を示すフローチャートである。
【図２７】本実施の形態による処理例を示す説明図である。
【図２８】本実施の形態による処理例を示す説明図である。
【図２９】本実施の形態による処理例を示す説明図である。
【図３０】本実施の形態による処理例を示す説明図である。
【図３１】本実施の形態による処理例を示すフローチャートである。
【図３２】本実施の形態による処理例を示すフローチャートである。
【図３３】本実施の形態による処理例を示す説明図である。
【図３４】本実施の形態による処理例を示すフローチャートである。
【図３５】本実施の形態による処理例を示すフローチャートである。
【図３６Ａ】本実施の形態による処理例を示す説明図である。
【図３６Ｂ】本実施の形態による処理例を示す説明図である。
【図３７Ａ】本実施の形態による処理例を示すフローチャートである。
【図３７Ｂ】本実施の形態による処理例を示すフローチャートである。
【図３８Ａ】本実施の形態による処理例を示す説明図である。
【図３８Ｂ】本実施の形態による処理例を示す説明図である。
【図３９Ａ】本実施の形態による処理例を示すフローチャートである。
【図３９Ｂ】本実施の形態による処理例を示すフローチャートである。
【図４０】本実施の形態を実現するコンピュータのハードウェア構成例を示すブロック図である。
【発明を実施するための形態】
【００４２】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（「ソフトウェア」の解釈として、コンピュータ・プログラムを含む）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（例えば、コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（例えば、データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（「２以上の値」には、もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（「ネットワーク」には、一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（つまり、社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスクドライブ、ＲＡＭ（Ｒａｎｄｏｍ  Ａｃｃｅｓｓ  Ｍｅｍｏｒｙの略）、外部記憶媒体、通信回線を介した記憶装置、ＣＰＵ（Ｃｅｎｔｒａｌ  Ｐｒｏｃｅｓｓｉｎｇ  Ｕｎｉｔの略）内のレジスタ等を含んでいてもよい。
【００４３】
本実施の形態である情報処理装置１００は、図像を表示する機能を有しており、図１の例に示すように、操作検知モジュール１０５、図像管理モジュール１１０、表示モジュール１３０を有している。
ここで「図像」とは、処理を示す図、絵、記号等で表現しているものであって、一般的にアイコンと言われるものである。以下、具体例を用いて説明する場合は、アイコンも用いて説明する。
【００４４】
操作検知モジュール１０５は、表示モジュール１３０と接続されている。操作検知モジュール１０５は、操作者による操作を検知する。例えば、操作検知モジュール１０５は、タッチパネルを兼ねる表示装置を制御して、ユーザーの操作を検知する。ここでのユーザーの操作は、タッチパネル上での指又はペンの操作が該当する。この他、マウス、キーボード、カメラ、マイク等を用いたユーザーの操作を検知するようにしてもよい。ユーザーの操作の具体例として、ユーザーの視線、ジェスチャ、音声等も含むようにしてもよい。
【００４５】
表示モジュール１３０は、図像配置モジュール１３５を有しており、操作検知モジュール１０５、図像管理モジュール１１０と接続されている。表示モジュール１３０は、少なくともユーザーによって設定値が設定された第１の図像と第２の図像に対して、予め定められた操作を検知した場合は、その第１の図像とその第２の図像の異なる設定値を表示する。
第１の図像と第２の図像は、いずれか一方がユーザーによって設定値が設定されていればよい。例えば、第１の図像と第２の図像のいずれか一方が「ユーザーによって設定値が設定されていない図像」であってもよい。「ユーザーによって設定値が設定されていない図像」として、予め情報処理装置１００が用意した図像であってもよい。具体的には、情報処理装置１００が、後述する画像処理装置２００である場合、コピーアイコン等のデフォルトの図像が該当する。
もちろんのことながら、第１の図像と第２の図像の両方ともユーザーによって設定値が設定されていてもよい。そして、この場合、「第１の図像の設定値の設定を行ったユーザー」と「第２の図像の設定値の設定を行ったユーザー」は、同一ユーザーであってもよいし、異なるユーザーであってもよい。
また、ここでの「設定値の設定を行ったユーザー」は、現在、操作を行っているユーザー（つまり、第１の図像等を見ている操作者）と同一人物であってもよいし、異なっていてもよい。特に、他人によって設定値が設定された図像である場合、操作を行っているユーザーは、どのような設定値が設定されているのかがわからない場合が多いので、２つの図像の設定値の比較表示を行いたいことがある。
【００４６】
また、「設定値」は、機能を実行させるにあたって必要な値であって、一般的にパラメータと言われるものである（以下、パラメータともいう）。
「ユーザーによって設定値が設定された図像」は、例えば、ワンタッチアプリを指し示すアイコンを含む。ワンタッチアプリとは、サービスを実行する際の設定パラメータをアイコンと紐付けて保存し、保存した設定パラメータによるジョブ実行を少ないステップで実行することができる機能、又は、実行されるアプリケーションそのもののことを指す。後述する画像処理装置２００である場合、ワンタッチアプリの具体例として、予め定められた拡大縮小倍率を設定したコピーアイコン等が該当する。このコピーアイコンが選択された場合、拡大縮小倍率の設定操作なしで、その拡大縮小倍率での複写が行われることになる。予め定められた拡大縮小倍率として、例えば、７１％のように頻繁に用いられる倍率が設定されることが多い。
【００４７】
「第１の図像と第２の図像の異なる設定値を表示する」として、例えば、次のような表示を行う。
・第１の図像と第２の図像の設定値に関する情報を同一ウィンドウ上に表示する
・第１の図像と第２の図像の設定値の項目名を１つだけ表示する。さらに、その項目名に対応する設定値を並列して表示する。
・第１の図像と第２の図像の設定値に関する情報を、同時に表示する。
【００４８】
また、表示の仕方として、基準となる図像の設定値を左側に、比較する図像の設定値を右側に表示するようにしてもよい。もちろんのことながら、左右逆の位置関係であってもよい。基準となる図像の設定値を上側に、比較する図像の設定値を下側に表示するようにしてもよい。もちろんのことながら、上下逆の位置関係であってもよい
また、別のパターンとして、図像の画面における位置を反映するようにしてもよい。例えば、図像が画面上で相対的に左にあるものは左に、右にあるものは右に表示するとしてもよい。
また、表示の仕方について、ポップアップとして表示してもよいし、別領域に表示してもよい。
【００４９】
ここで「予め定められた操作」として、第１の図像に対する操作中に、第２の図像を選択する操作としてもよい。
またこの「予め定められた操作」として、次のように捉えてもよい。
・図像に対する操作であって、図像の設定値を確認する操作とは異なる操作である。少なくとも、図像のプロパティと言われる属性を表示させるための操作とは異なる操作である。
・第１の図像に対する操作とその第１の図像に対する操作とは異なる操作を第２の図像に対して行うことである。
より具体的に、予め定められた操作として、（１）第１の図像と第２の図像とを選択する操作、又は、（２）第１の図像を移動して第２の図像に重ね合わせる操作のいずれかを用いるようにしてもよい。
（１）の操作の具体例として、第１の図像を選択しながら、第２の図像を選択する操作が該当する。この具体例では、第１の図像に対しての操作として「第１の図像を選択したまま、他の図像を選択する操作」であり、第２の図像に対しての操作は「第２の図像を選択する操作」であり、異なる操作を行っていることになる。
（２）の操作の具体例として、第１の図像を第２の図像上にコピーする操作が該当する。この具体例では、第１の図像に対しての操作として「第１の図像を選択したまま、その第１の図像を移動する操作」であり、そして、第２の図像は第１の図像の移動先であり、第２の図像に対しての「第１の図像を重ねることによって選択する操作」が行われており、異なる操作を行っていることになる。
【００５０】
また、表示モジュール１３０は、さらに、第１の図像と第２の図像に設定された機能の範疇が同じであることを条件として、その第１の図像に関連付けられた設定値とその第２の図像に関連付けられた設定値とを比較可能に表示するようにしてもよい。
ここで「機能の範疇が同じである」とは、図像に設定された機能の分類又は種類が同じことをいう。例えば、情報処理装置１００が、後述する画像処理装置２００である場合、その画像処理装置２００における機能の範疇が同じであるとは、基本機能としての複写（つまり、コピー）、印刷（つまり、プリント）、読み取り（つまり、スキャン）、ファックス等が同じことであり、例えば、１４１％の拡大コピーと７０％の縮小コピーは同じ範疇であり、１４１％の拡大コピーと７０％の縮小スキャンは異なる範疇である。
さらに、表示モジュール１３０は、両者が同じ設定値である場合は、その設定値を表示しないようにしてもよい。なお、ここでの「両者」とは、第１の図像と第２の図像のことである。
【００５１】
図像配置モジュール１３５は、第１の図像が選択されたことを検知した場合は、その第１の図像の周辺にその第１の図像の範疇と同じ範疇の図像を配置する。
ここでの「第１図像の選択」として、例えば、単一の図像が選択されたこと、図像の選択操作とは異なる操作であってもよい。なお、「図像の選択操作とは異なる操作」として、具体例として「長押し」等が該当する。
また、図像配置モジュール１３５によって配置の処理が行われた後に、第１の図像の周辺に配置された図像に対する操作が行われずに、その第１の図像の選択が解除された場合は、図像配置モジュール１３５による配置以前の状態に戻すようにしてもよい。
【００５２】
また、表示モジュール１３０は、第１の図像の選択がされたことを検知した場合は、その第１の図像の範疇と同じ範疇の図像のみを表示するようにしてもよい。この表示処理を表示処理Ａという。
ここで「第１の図像の選択」として、例えば、第１の図像の長押しによる選択としてもよい。
表示モジュール１３０による表示処理Ａが行われた後に、第１の図像以外の図像に対する操作が行われずに、その第１の図像の選択が解除された場合は、表示処理Ａ以前の状態に戻すようにしてもよい。
【００５３】
また、表示モジュール１３０は、第１の図像の選択がされたことを検知した場合は、その第１の図像の範疇と異なる範疇の図像の表示を非表示にするようにしてもよい。この表示処理を表示処理Ｂという。
ここで「第１の図像の選択」として、例えば、第１の図像の長押しによる選択としてもよい。
表示モジュール１３０による表示処理Ｂが行われた後に、第１の図像以外の図像に対する操作が行われずに、その第１の図像の選択が解除された場合は、表示処理Ｂ以前の状態に戻すようにしてもよい。
【００５４】
また、表示モジュール１３０は、第１の図像の選択がされたことを検知した場合は、その第１の図像と異なる設定値の数をその第１の図像以外の図像上又は周辺に表示するようにしてもよい。
ここで「第１の図像の選択」として、例えば、第１の図像の長押しによる選択としてもよい。
また、「図像上に表示」として、例えば、図像に重複して表示することが該当する。具体例として、いわゆるバッジ表示が該当する。
さらに、表示モジュール１３０は、異なる設定値の数が少ない順に並び替えて、第１の図像以外の図像を表示するようにしてもよい。
【００５５】
また、表示モジュール１３０は、第１の図像の選択がされたことを検知した場合は、その第１の図像と異なる設定値の数が予め定められた数より多い又は以上である図像とその予め定められた数以下又は未満である図像とを異なる形態で表示するようにしてもよい。
ここで「第１の図像の選択」として、例えば、第１の図像の長押しによる選択としてもよい。
具体例として、異なる設定値の数が予め定められた数以上である図像は表示せず、予め定められた数未満である図像を表示するようにしてもよい。異なる設定値の数が予め定められた数以上である図像の濃度を薄く表示し、予め定められた数未満である図像は濃度変化をしないで表示するようにしてもよい。
【００５６】
図像管理モジュール１１０は、名称提案モジュール１１５、抽出モジュール１２０、グループ化モジュール１２５を有しており、表示モジュール１３０と接続されている。図像管理モジュール１１０は、情報処理装置１００で表示する図像を管理する。例えば、図像に設定されている設定値、名称等を、図像を関連付けて記憶している。
名称提案モジュール１１５は、第１の図像又は第２の図像の名称を提案する。
例えば、名称提案モジュール１１５は、第１の図像と第２の図像とで異なる設定値名又は設定値を含む名称を提案するようにしてもよい。
【００５７】
特に、第１の図像は選択されたならば、その第１の図像に関連付けられた機能を即時に実行するものであってもよい。
抽出モジュール１２０は、第１の図像と異なる設定値の数が予め定められた数以下又は未満である図像を抽出する。
そして、表示モジュール１３０は、第１の図像が選択された場合は、その第１の図像に関連付けられた機能を実行する前に、その第１の図像に関連付けられた設定値と抽出モジュール１２０によって抽出された図像に関連付けられた設定値とを比較可能に表示するようにしてもよい。
【００５８】
また、抽出モジュール１２０は、第１の図像に設定された機能の範疇が同じである図像を抽出するようにしてもよい。
グループ化モジュール１２５は、第１の図像と抽出モジュール１２０によって抽出された図像をグループ化する。
ここで「グループ化」とは、複数ある図像の配置箇所又は複数個の図像をまとめることを指し、具体的には、複数の図像をフォルダに格納すること、単一の図像に変換して単一化した図像選択時に異なる設定値のみ選択させるようにすること等が該当する。具体的な操作方法として、前者の「フォルダに格納すること」は、複数の図像を同一位置に配置するようにしてもよい。後者の「単一の図像に変換」については、図像自体を１つとして、１つにした図像を選択すると、まとめる前の差分パラメータを選択するようにまとめてもよい。グループ化処理に際して、図像の範疇が同一など、条件があってもよい。
【００５９】
図２は、本実施の形態を利用したシステム構成例を示す説明図である。
図２（ａ）は、情報処理装置１００を画像処理装置２００内に組み込んだ場合のスタンドアロン型のシステム構成例を示している。画像処理装置２００は、例えば、複写機、ファックス、スキャナ、プリンタ、複合機（複合機とは、スキャナ、プリンタ、複写機、ファックス等のいずれか２つ以上の機能を有している画像処理装置）である。
画像処理装置２００は、情報処理装置１００、表示装置２１０を有している。表示装置２１０として、例えば、タッチパネルを兼ねる液晶ディスプレイ、有機ＥＬ（Ｅｌｅｃｔｒｏ−Ｌｕｍｉｎｅｓｃｅｎｃｅ）等が該当する。ユーザー２５０が、表示装置２１０上で操作を行い、画像処理装置２００に処理を行わせる。その際、ユーザー２５０の操作にしたがって、表示装置２１０上での図像の表示を制御する。
【００６０】
図２（ｂ）は、情報処理装置１００と各画像処理装置２００が通信回線２９０を介して接続されたネットワーク型のシステム構成例を示している。各画像処理装置２００は、表示装置２１０を有している。通信回線２９０は、無線、有線、これらの組み合わせであってもよく、例えば、通信インフラとしてのインターネット、イントラネット等であってもよい。また、情報処理装置１００による機能は、クラウドサービスとして実現してもよい。
情報処理装置１００は、各画像処理装置２００でユーザー２５０によって行われた操作を受信して、各画像処理装置２００の表示装置２１０における図像の表示を制御する。
【００６１】
以下、図像の具体例としてアイコンを用いて説明する。図３は、アイコン管理テーブル３００のデータ構造例を示す説明図である。アイコン管理テーブル３００は、アイコンＩＤ欄３０５、アイコン名称欄３１０、アイコン画像欄３１５、処理属性欄３２０を有しており、処理属性欄３２０は、範疇欄３２５、機能欄３３０、項目数欄３３５、項目欄３４０、設定値欄３４５を有している。アイコンＩＤ欄３０５は、本実施の形態において、アイコンを一意に識別するための情報を記憶している。この情報として、例えば、アイコンＩＤ（ＩＤｅｎｔｉｆｉｃａｔｉｏｎ）が該当する。アイコン名称欄３１０は、そのアイコンの名称を記憶している。アイコン画像欄３１５は、そのアイコンの画像を記憶している。具体的には、表示装置２１０上に表示する画像である。処理属性欄３２０は、そのアイコンの処理属性を記憶している。処理属性として、以下のものがある。範疇欄３２５は、そのアイコンに関連付けられた機能の範疇を記憶している。機能欄３３０は、そのアイコンに関連付けられた機能を記憶している。項目数欄３３５は、そのアイコンで設定できる項目数を記憶している。この後、項目数欄３３５内の数だけ、項目欄３４０と設定値欄３４５の組み合わせが続く。項目欄３４０は、そのアイコンで設定できる項目を記憶している。設定値欄３４５は、その項目における設定値を記憶している。アイコン管理テーブル３００は、図像管理モジュール１１０によって管理される。
【００６２】
図４は、本実施の形態による処理例を示すフローチャートである。
ステップＳ４０２では、ホーム画面を表示する。前述の画像処理装置２００の表示装置２１０における表示例として、図５を参照して説明する。図５は、本実施の形態による処理例を示す説明図である。画面５００に、例えば、初期状態として、コピーボタン５１０、ファックスボタン５１２、プリントボタン５１４、スキャン・メールボタン５１６、ワンタッチコピー１ボタン５１８、ワンタッチコピー２ボタン５２０、ワンタッチコピー３ボタン５２２を表示する。コピーボタン５１０、ファックスボタン５１２、プリントボタン５１４、スキャン・メールボタン５１６は、画像処理装置２００の基本機能が関連付けられており、これらを選択したとしても、設定値の設定が必要であり、その設定が行われた後に処理が行われる。一方、ワンタッチコピー１ボタン５１８、ワンタッチコピー２ボタン５２０、ワンタッチコピー３ボタン５２２は、コピーの機能が関連付けられているが、選択されたならばそのアイコンに関連付けられた機能を即時に実行するものの具体例を示している。例えば、ワンタッチコピー１ボタン５１８には、７１％の縮小倍率が設定されており、ワンタッチコピー１ボタン５１８が選択されると、即時に７１％の縮小コピーが行われる。なお、機能を実行させる選択とは、ユーザーの指又はペンによるワンタッチコピー１ボタン５１８の押下と、その後に、その押下したワンタッチコピー１ボタン５１８から指又はペンを離すことである。つまり、ユーザーの指又はペンによるワンタッチコピー１ボタン５１８の押下、その後のドラッグでは、ワンタッチコピー１ボタン５１８に関連付けられた機能は実行されない。
【００６３】
ステップＳ４０４では、第１のワンタッチアプリ座標においてドラッグを検出する。図６の例を参照して説明する。例えば、ユーザーの操作指６９０によるワンタッチコピー３ボタン５２２の押下を検出し、次に、そのワンタッチコピー３ボタン５２２のドラッグを検出する。より具体的には、ワンタッチコピー３ボタン５２２の長押しを検出し、次に、そのワンタッチコピー３ボタン５２２のドラッグを検出する。また、ワンタッチコピー３ボタン５２２が移動対象であることがわかるように、ワンタッチコピー３ボタン５２２の形態を変更するようにしてもよい。例えば、ワンタッチコピー３ボタン５２２の枠を太くしてもよい。
ステップＳ４０６では、第２のワンタッチアプリ座標においてドロップを検出する。図７の例を参照して説明する。例えば、ユーザーは、ワンタッチコピー３ボタン５２２とワンタッチコピー２ボタン５２０の区別がつかないとする。そこで、ユーザーは、ワンタッチコピー３ボタン５２２をワンタッチコピー２ボタン５２０にドラッグ・アンド・ドロップする。具体的には、ワンタッチコピー３ボタン５２２の移動、及び、ワンタッチコピー２ボタン５２０の上で操作指６９０を離す操作を検出することになる。また、ワンタッチコピー２ボタン５２０が比較対象であることがわかるように、ワンタッチコピー２ボタン５２０の形態を変更するようにしてもよい。例えば、ワンタッチコピー３ボタン５２２と同様に、ワンタッチコピー２ボタン５２０の枠を太くしてもよい。
【００６４】
ステップＳ４０８では、第１と第２のアプリは同一機能カテゴリであるか否かを判断し、同一機能カテゴリの場合はステップＳ４１０へ進み、それ以外の場合はステップＳ４０２へ戻る。図７の例では、ワンタッチコピー３ボタン５２２とワンタッチコピー２ボタン５２０のアイコン管理テーブル３００の範疇欄３２５を参照することにより、ワンタッチコピー３ボタン５２２とワンタッチコピー２ボタン５２０は同じコピーという範疇であるので、ステップＳ４１０へ進むことになる。
ステップＳ４１０では、記憶された設定パラメータに違いがあるか否かを判断し、ある場合はステップＳ４１２へ進み、それ以外の場合はステップＳ４０２へ戻る。
【００６５】
ステップＳ４１２では、差分確認用画面を表示する。
比較対象であるアプリケーションの名称、設定値の差分が分かるように、比較可能に表示する。例えば、横並びに表示してもよいし、上下に並べて表示してもよい。また、設定値の差分部分のみを表示するか、同じ部分も含めて全て表示するかを切り替えることができるようにしてもよい。なお、全てを表示する場合は差分部分を強調表示するようにしてもよい。
ステップＳ４１４では、第１と第２のアプリのタイトル・アイコンを並べてタイトル部に表示する。
ステップＳ４１６では、第１と第２の記憶パラメータの名称、値を並べて表示する。
【００６６】
ステップＳ４１２からステップＳ４１６までの処理として、図８の例を参照して説明する。
図８に示す例では、画面５００に、差分表示領域８００を表示する。その差分表示領域８００には、横並びに、ワンタッチコピー３ボタン５２２の機能を開始させるスタートボタン８０５Ａとワンタッチコピー２ボタン５２０の機能を開始させるスタートボタン８０５Ｂの対、アイコンＡの名称表示領域８１０ＡとアイコンＢの名称表示領域８１０Ｂの対、２面設定項目表示領域８１５、２面設定値表示領域８２０Ａと２面設定値表示領域８２０Ｂの対、出力カラー項目表示領域８２５、出力カラー設定値表示領域８３０Ａと出力カラー設定値表示領域８３０Ｂの対を表示する。２面設定項目表示領域８１５には、例えば項目として「２−Ｓｉｄｅｄ」と表示している。２面設定値表示領域８２０Ａには、項目「２−Ｓｉｄｅｄ」の設定値として、「１→２−Ｓｉｄｅｄ」が設定されていることを表示している。２面設定値表示領域８２０Ｂには、項目「２−Ｓｉｄｅｄ」の設定値として、「Ａｕｔｏ」が設定されていることを表示している。
出力カラー項目表示領域８２５には、例えば項目として「Ｏｕｔｐｕｔ  Ｃｏｌｏｒ」と表示している。出力カラー設定値表示領域８３０Ａには、項目「Ｏｕｔｐｕｔ  Ｃｏｌｏｒ」の設定値として、「Ｃｏｌｏｒ」が設定されていることを表示している。出力カラー設定値表示領域８３０Ｂには、項目「Ｏｕｔｐｕｔ  Ｃｏｌｏｒ」の設定値として、「Ｂｌａｃｋ  ＆  Ｗｈｉｔｅ」が設定されていることを表示している。
この例では、左側に最初に選択されたアイコンであるワンタッチコピー３ボタン５２２、右側にドロップされた位置にあるアイコンであるワンタッチコピー２ボタン５２０を配置している。
また、元のアイコンの位置を反映してもよい。具体的には、図６の例に示したように、画面５００内でワンタッチコピー３ボタン５２２が左、ワンタッチコピー２ボタン５２０が右にあるので、それを反映してもよい。
【００６７】
図９は、本実施の形態による処理例を示すフローチャートである。
図９の例に示すフローチャートは、図４の例に示すフローチャートのステップＳ４０４、Ｓ４０６をステップＳ９０４、Ｓ９０６に変更したものである。図４の例では、２つのアイコンを選択するのに、ドラッグ・アンド・ドロップを用いたが、図９の例では、マルチタッチ操作を用いている。
【００６８】
ステップＳ９０２では、ホーム画面を表示する。前述した図５の例に示すような表示を行う。
ステップＳ９０４では、第１のワンタッチアプリへのタッチを検出する。
ステップＳ９０６では、第２のワンタッチアプリへのタッチを検出する。図１０の例を参照して説明する。図５の例と同様に、画面５００に、例えば、初期状態として、コピーボタン５１０、ファックスボタン５１２、プリントボタン５１４、スキャン・メールボタン５１６、ワンタッチコピー１ボタン５１８、ワンタッチコピー２ボタン５２０、ワンタッチコピー３ボタン５２２を表示する。ユーザーによって、操作指１０９０を用いてワンタッチコピー３ボタン５２２が選択されたことを検出し、操作指１０９５を用いてワンタッチコピー２ボタン５２０が選択されたことを検出する。具体的には、ユーザーのマルチタッチ操作で、ワンタッチコピー３ボタン５２２とワンタッチコピー２ボタン５２０の２つのアイコンが押下されたことを検知する。
【００６９】
ステップＳ９０８では、第１と第２のアプリは同一機能カテゴリであるか否かを判断し、同一機能カテゴリの場合はステップＳ９１０へ進み、それ以外の場合はステップＳ９０２へ戻る。
ステップＳ９１０では、記憶された設定パラメータに違いがあるか否かを判断し、ある場合はステップＳ９１２へ進み、それ以外の場合はステップＳ９０２へ戻る。
ステップＳ９１２では、差分確認用画面を表示する。
ステップＳ９１４では、第１と第２のアプリのタイトル・アイコンを並べてタイトル部に表示する。
ステップＳ９１６では、第１と第２の記憶パラメータの名称、値を並べて表示する。前述した図８の例に示すような表示を行う。
【００７０】
図１１は、本実施の形態による処理例を示すフローチャートである。
図１１の例に示すフローチャートは、図４の例に示すフローチャートのステップＳ４０４、Ｓ４０６をステップＳ１１０４〜Ｓ１１０８に変更し、ステップＳ１１２０を加えたものである。
【００７１】
ステップＳ１１０２では、ホーム画面を表示する。図１２の例を参照して説明する。図１２は、本実施の形態による処理例を示す説明図である。例えば、画面１２００では、コピーボタン１２１０、ワンタッチコピー２ボタン１２１２、スキャン・メールボタン１２１４、ワンタッチコピー１ボタン１２１６、ワンタッチコピー３ボタン１２１８、ファックスボタン１２２０、プリントボタン１２２２を表示する。この例では、ワンタッチコピー３ボタン１２１８の比較対象であるワンタッチコピー２ボタン１２１２又はワンタッチコピー１ボタン１２１６が離れている。
【００７２】
ステップＳ１１０４では、第１のワンタッチアプリ座標においてドラッグを検出する。図１３の例を参照して説明する。図１３の例では、ユーザーの操作指１３９０によってワンタッチコピー３ボタン１２１８が長押しされたことを検出する。
ステップＳ１１０６では、同一機能カテゴリの全ワンタッチアプリを第１のアプリの近接位置に移動する。図１４の例を参照して説明する。図１４の例では、比較対象の同じ機能カテゴリのアイコンを近くに移動する。具体的には、ワンタッチコピー３ボタン１２１８の周囲に、ワンタッチコピー２ボタン１２１２、ワンタッチコピー１ボタン１２１６を移動する。その移動にともなって、その他のアイコン、つまり、コピーボタン１２１０、スキャン・メールボタン１２１４、ファックスボタン１２２０、プリントボタン１２２２を移動させてもよい。例えば、同一機能カテゴリではないアイコンは、逆に、ワンタッチコピー３ボタン１２１８から離れるように移動してもよい。
なお、ワンタッチコピー３ボタン１２１８から操作指１３９０が離れたことを検出した場合は、図１２の例に示す元の状態に戻るようにしてもよい。
【００７３】
ステップＳ１１０８では、第２のワンタッチアプリ座標においてドロップを検出する。図１５の例を参照して説明する。図１５の例では、ワンタッチコピー３ボタン１２１８がワンタッチコピー２ボタン１２１２の位置にドラッグ・アンド・ドロップされている。図１５の例では、ワンタッチコピー３ボタン１２１８を隣にあるワンタッチコピー２ボタン１２１２の位置に移動させているだけであるので、図１２の例で示したワンタッチコピー３ボタン１２１８をワンタッチコピー２ボタン１２１２に移動させる距離よりも短い距離の移動で済んでいる。
【００７４】
ステップＳ１１１０では、第１と第２のアプリは同一機能カテゴリであるか否かを判断し、同一機能カテゴリの場合はステップＳ１１１２へ進み、それ以外の場合はステップＳ１１２０へ進む。
ステップＳ１１１２では、記憶された設定パラメータに違いがあるか否かを判断し、ある場合はステップＳ１１１４へ進み、それ以外の場合はステップＳ１１２０へ進む。
ステップＳ１１１４では、差分確認用画面を表示する。前述した図８の例に示すような表示を行う。
【００７５】
ステップＳ１１１６では、第１と第２のアプリのタイトル・アイコンを並べてタイトル部に表示する。
ステップＳ１１１８では、第１と第２の記憶パラメータの名称、値を並べて表示する。
ステップＳ１１２０では、同一機能カテゴリの位置を元に戻し、ステップＳ１１０２へ戻る。つまり、ステップＳ１１０６の処理を行う前の状態に戻す。
【００７６】
図１６は、本実施の形態による処理例を示すフローチャートである。
図１６の例に示すフローチャートは、図４の例に示すフローチャートのステップＳ４０４、Ｓ４０６をステップＳ１６０４〜Ｓ１６０８に変更し、ステップＳ１６２０を加えたものである。図１１の例では、２つのアイコンを選択するのに、ドラッグ・アンド・ドロップを用いたが、図１６の例では、マルチタッチ操作を用いている。
【００７７】
ステップＳ１６０２では、ホーム画面を表示する。前述した図５の例に示すような表示を行う。
ステップＳ１６０４では、第１のワンタッチアプリへのタッチを検出する。
ステップＳ１６０６では、同一機能カテゴリの全ワンタッチアプリを第１のアプリの近接位置に移動する。
【００７８】
ステップＳ１６０８では、第２のワンタッチアプリへのタッチを検出する。前述した図１０の例に示すような表示を行う。この時点で、２つのアイコンが選択されたことを検出したことになり、いわゆるマルチタッチを検出することになる。
ステップＳ１６１０では、第１と第２のアプリは同一機能カテゴリであるか否かを判断し、同一機能カテゴリの場合はステップＳ１６１２へ進み、それ以外の場合はステップＳ１６２０へ進む。
ステップＳ１６１２では、記憶された設定パラメータに違いがあるか否かを判断し、ある場合はステップＳ１６１４へ進み、それ以外の場合はステップＳ１６２０へ進む。
【００７９】
ステップＳ１６１４では、差分確認用画面を表示する。前述した図８の例に示すような表示を行う。
ステップＳ１６１６では、第１と第２のアプリのタイトル・アイコンを並べてタイトル部に表示する。
ステップＳ１６１８では、第１と第２の記憶パラメータの名称、値を並べて表示する。
ステップＳ１６２０では、同一機能カテゴリの位置を元に戻し、ステップＳ１６０２へ戻る。
【００８０】
図１７は、本実施の形態による処理例を示すフローチャートである。
図１７の例に示すフローチャートは、図４の例に示すフローチャートのステップＳ４０４、Ｓ４０６をステップＳ１７０４〜Ｓ１７０８に変更し、ステップＳ１７２０を加えたものである。
【００８１】
ステップＳ１７０２では、ホーム画面を表示する。図１８の例を参照して説明する。画面１８００に、例えば、初期状態として、コピーボタン１８１０、ファックスボタン１８１２、プリントボタン１８１４、スキャン・メールボタン１８１６、ワンタッチアプリＮｏ．１ボタン１８１８、ワンタッチアプリＮｏ．２ボタン１８２０、ワンタッチアプリＮｏ．３ボタン１８２２を表示する。ここで、ワンタッチアプリＮｏ．１ボタン１８１８のカテゴリはファックスである。ワンタッチアプリＮｏ．２ボタン１８２０のカテゴリはコピーである。ワンタッチアプリＮｏ．３ボタン１８２２のカテゴリはコピーである。したがって、ワンタッチアプリＮｏ．３ボタン１８２２とワンタッチアプリＮｏ．２ボタン１８２０との設定値の比較は可能であるが、ワンタッチアプリＮｏ．３ボタン１８２２とワンタッチアプリＮｏ．１ボタン１８１８との設定値の比較は意味がなく、設定値の比較表示は行えないようにしている。
【００８２】
ステップＳ１７０４では、第１のワンタッチアプリ座標においてドラッグを検出する。図１９の例を参照して説明する。図１９の例に示すように、ユーザーの操作指１９９０によってワンタッチアプリＮｏ．３ボタン１８２２がドラッグ又はドラッグの前処理である長押しされたことを検出する。
【００８３】
ステップＳ１７０６では、同一機能カテゴリでないワンタッチアプリ、およびワンタッチアプリでないアプリを非表示とする。図２０の例を参照して説明する。図２０に示すように、ワンタッチアプリＮｏ．３ボタン１８２２と同じカテゴリであるワンタッチアプリＮｏ．２ボタン１８２０のみを表示する。他のアイコンは表示しない。つまり、コピーボタン１８１０、ワンタッチアプリＮｏ．１ボタン１８１８等の表示を画面１８００から削除する。
【００８４】
ステップＳ１７０８では、第２のワンタッチアプリ座標においてドロップを検出する。図２１の例を参照して説明する。ユーザーの操作指１９９０によってワンタッチアプリＮｏ．３ボタン１８２２がワンタッチアプリＮｏ．２ボタン１８２０の位置にドラッグ・アンド・ドロップされる操作を検出する。
【００８５】
ステップＳ１７１０では、第１と第２のアプリは同一機能カテゴリであるか否かを判断し、同一機能カテゴリの場合はステップＳ１７１２へ進み、それ以外の場合はステップＳ１７２０へ進む。
ステップＳ１７１２では、記憶された設定パラメータに違いがあるか否かを判断し、ある場合はステップＳ１７１４へ進み、それ以外の場合はステップＳ１７２０へ進む。
ステップＳ１７１４では、差分確認用画面を表示する。前述した図８の例に示すような表示を行う。
ステップＳ１７１６では、第１と第２のアプリのタイトル・アイコンを並べてタイトル部に表示する。
ステップＳ１７１８では、第１と第２の記憶パラメータの名称、値を並べて表示する。
ステップＳ１７２０では、同一機能カテゴリでないワンタッチアプリ、およびワンタッチアプリでないアプリを再表示し、ステップＳ１７０２へ戻る。
【００８６】
図２２は、本実施の形態による処理例を示すフローチャートである。
図２２の例に示すフローチャートは、図４の例に示すフローチャートのステップＳ４０４、Ｓ４０６をステップＳ２２０４〜Ｓ２２０８に変更し、ステップＳ２２２０を加えたものである。図１７の例では、２つのアイコンを選択するのに、ドラッグ・アンド・ドロップを用いたが、図２２の例では、マルチタッチ操作を用いている。
【００８７】
ステップＳ２２０２では、ホーム画面を表示する。前述した図１８の例に示すような表示を行う。
ステップＳ２２０４では、第１のワンタッチアプリへのタッチを検出する。前述した図１９の例に示すような表示を行う。
ステップＳ２２０６では、同一機能カテゴリでないワンタッチアプリ、およびワンタッチアプリでないアプリを非表示とする。前述した図２０の例に示すような表示を行う。
【００８８】
ステップＳ２２０８では、第２のワンタッチアプリへのタッチを検出する。前述した図２０の例に示すような表示において、ワンタッチアプリＮｏ．３ボタン１８２２とともにワンタッチアプリＮｏ．２ボタン１８２０の選択が行われる。この時点で、２つのアイコンが選択されたことを検出したことになり、いわゆるマルチタッチを検出することになる。
ステップＳ２２１０では、第１と第２のアプリは同一機能カテゴリであるか否かを判断し、同一機能カテゴリの場合はステップＳ２２１２へ進み、それ以外の場合はステップＳ２２２０へ進む。
ステップＳ２２１２では、記憶された設定パラメータに違いがあるか否かを判断し、ある場合はステップＳ２２１４へ進み、それ以外の場合はステップＳ２２２０へ進む。
【００８９】
ステップＳ２２１４では、差分確認用画面を表示する。前述した図８の例に示すような表示を行う。
ステップＳ２２１６では、第１と第２のアプリのタイトル・アイコンを並べてタイトル部に表示する。
ステップＳ２２１８では、第１と第２の記憶パラメータの名称、値を並べて表示する。
ステップＳ２２２０では、同一機能カテゴリでないワンタッチアプリ、およびワンタッチアプリでないアプリを再表示し、ステップＳ２２０２へ戻る。
【００９０】
図２３は、本実施の形態による処理例を示すフローチャートである。
図２３の例に示すフローチャートは、図４の例に示すフローチャートのステップＳ４０４、Ｓ４０６をステップＳ２３０４〜Ｓ２３１４に変更し、ステップＳ２３２６を加えたものである。
【００９１】
ステップＳ２３０２では、ホーム画面を表示する。前述した図１８の例に示すような表示を行う。
ステップＳ２３０４では、第１のワンタッチアプリ座標においてドラッグを検出する。前述した図１９の例に示すような表示を行う。
ステップＳ２３０６では、第１のワンタッチアプリを除き、かつ、第１のワンタッチアプリと同一機能カテゴリのワンタッチアプリ数だけ、ステップＳ２３１２までの処理を繰り返す。なお、ワンタッチアプリＮｏ．１ボタン１８１８とワンタッチアプリＮｏ．２ボタン１８２０は、ワンタッチアプリＮｏ．３ボタン１８２２と同一機能カテゴリのワンタッチアプリとする。
【００９２】
ステップＳ２３０８では、同一機能カテゴリのワンタッチアプリの同一でないパラメータの数（差分数）を検出する。具体的には、２つのアイコンに対応付けられたアプリケーションの各設定の設定値を比較して、異なる設定値の数を計数すればよい。
ステップＳ２３１０では、差分数を第１以外の各ワンタッチアプリのアイコンに付与してバッジを表示する。図２４の例を参照して説明する。図２４は、本実施の形態による処理例を示す説明図である。同じカテゴリのアプリのみ差分の数を表示するようにしている例である。画面２４００に、コピーボタン１８１０、ファックスボタン１８１２、プリントボタン１８１４、スキャン・メールボタン１８１６、ワンタッチアプリＮｏ．１ボタン１８１８、ワンタッチアプリＮｏ．２ボタン１８２０、ワンタッチアプリＮｏ．３ボタン１８２２を表示する。ワンタッチアプリＮｏ．１ボタン１８１８にはバッジ２４１８を表示し、ワンタッチアプリＮｏ．２ボタン１８２０にはバッジ２４２０を表示する。つまり、図２４の例では、ワンタッチアプリＮｏ．３ボタン１８２２と同一機能カテゴリであるワンタッチアプリＮｏ．１ボタン１８１８にバッジ２４１８を表示する。バッジ２４１８は、「１５個の設定値が異なること」を示している。そして、ワンタッチアプリＮｏ．３ボタン１８２２と同一機能カテゴリであるワンタッチアプリＮｏ．２ボタン１８２０にバッジ２４２０を表示する。バッジ２４２０は、「２個の設定値が異なること」を示している。
【００９３】
ステップＳ２３１２では、すべての第１を除く同一機能カテゴリのワンタッチアプリの処理が終了するまで、ステップＳ２３０６からの処理を繰り返す。
ステップＳ２３１４では、第２のワンタッチアプリ座標においてドロップを検出する。具体的には、ワンタッチアプリＮｏ．２ボタン１８２０の位置にワンタッチアプリＮｏ．３ボタン１８２２が移動され、ワンタッチアプリＮｏ．３ボタン１８２２とワンタッチアプリＮｏ．２ボタン１８２０を重ね合わせた状態で、操作指２４９０をワンタッチアプリＮｏ．３ボタン１８２２から離す操作を検出することになる。
ステップＳ２３１６では、第１と第２のアプリは同一機能カテゴリであるか否かを判断し、同一機能カテゴリの場合はステップＳ２３１８へ進み、それ以外の場合はステップＳ２３２６へ進む。
【００９４】
ステップＳ２３１８では、記憶された設定パラメータに違いがあるか否かを判断し、ある場合はステップＳ２３２０へ進み、それ以外の場合はステップＳ２３２６へ進む。
ステップＳ２３２０では、差分確認用画面を表示する。前述した図８の例に示すような表示を行う。
ステップＳ２３２２では、第１と第２のアプリのタイトル・アイコンを並べてタイトル部に表示する。
ステップＳ２３２４では、第１と第２の記憶パラメータの名称、値を並べて表示する。
ステップＳ２３２６では、差分数のバッジを削除し、ステップＳ２３０２へ戻る。具体的には、バッジ２４１８、バッジ２４２０を削除して、初期の表示状態に戻す。
【００９５】
図２５は、本実施の形態による処理例を示すフローチャートである。
図２５の例に示すフローチャートは、図４の例に示すフローチャートのステップＳ４０４、Ｓ４０６をステップＳ２５０４〜Ｓ２５１４に変更し、ステップＳ２５２６を加えたものである。図２３の例では、２つのアイコンを選択するのに、ドラッグ・アンド・ドロップを用いたが、図２５の例では、マルチタッチ操作を用いている。
【００９６】
ステップＳ２５０２では、ホーム画面を表示する。前述した図１８の例に示すような表示を行う。
ステップＳ２５０４では、第１のワンタッチアプリへのタッチを検出する。前述した図１９の例に示すような表示を行う。
ステップＳ２５０６では、第１を除く同一機能カテゴリのワンタッチアプリ数だけ、ステップＳ２５１２までの処理を繰り返す。
【００９７】
ステップＳ２５０８では、同一機能カテゴリのワンタッチアプリの同一でないパラメータの数（差分数）を検出する。
ステップＳ２５１０では、差分数を第１以外の各ワンタッチアプリのアイコンに付与してバッジを表示する。前述した図２４の例に示すような表示を行う。
ステップＳ２５１２では、すべての第１を除く同一機能カテゴリのワンタッチアプリの処理が終了するまで、ステップＳ２５０６からの処理を繰り返す。
【００９８】
ステップＳ２５１４では、第２のワンタッチアプリへのタッチを検出する。前述した図２４の例に示すような表示において、ワンタッチアプリＮｏ．３ボタン１８２２とともにワンタッチアプリＮｏ．２ボタン１８２０の選択が行われる。この時点で、２つのアイコンが選択されたことを検出したことになり、いわゆるマルチタッチを検出することになる。
ステップＳ２５１６では、第１と第２のアプリは同一機能カテゴリであるか否かを判断し、同一機能カテゴリの場合はステップＳ２５１８へ進み、それ以外の場合はステップＳ２５２６へ進む。
ステップＳ２５１８では、記憶された設定パラメータに違いがあるか否かを判断し、ある場合はステップＳ２５２０へ進み、それ以外の場合はステップＳ２５２６へ進む。
【００９９】
ステップＳ２５２０では、差分確認用画面を表示する。前述した図８の例に示すような表示を行う。
ステップＳ２５２２では、第１と第２のアプリのタイトル・アイコンを並べてタイトル部に表示する。
ステップＳ２５２４では、第１と第２の記憶パラメータの名称、値を並べて表示する。
ステップＳ２５２６では、差分数のバッジを削除し、ステップＳ２５０２へ戻る。具体的には、バッジ２４１８、バッジ２４２０を削除して、初期の表示状態に戻す。
【０１００】
図２６は、本実施の形態による処理例を示すフローチャートである。
図２６の例に示すフローチャートは、図４の例に示すフローチャートのステップＳ４０４、Ｓ４０６をステップＳ２６０４〜Ｓ２６１８に変更し、ステップＳ２６３０を加えたものである。異なる設定値の数をバッチ表示し、その差が閾値より多いアイコンを薄く表示し、その差が閾値より少ないアイコンを周辺に移動するようにしたものである。なお、閾値より多いアイコンは、比較対象とはなりにくいアイコンであり、閾値より少ないアイコンは、比較対象となりやすいアイコンである。
【０１０１】
ステップＳ２６０２では、ホーム画面を表示する。図２７の例を参照して説明する。図２７は、本実施の形態による処理例を示す説明図である。画面２７００に、ワンタッチコピー１ボタン２７１０、ワンタッチコピー２ボタン２７１２、ワンタッチコピー３ボタン２７１４、ワンタッチコピー４ボタン２７１６、ワンタッチファックスボタン２７１８、ワンタッチコピー５ボタン２７２０、ワンタッチコピー６ボタン２７２２を表示する。ここでは、同一カテゴリが多い例を示している。
ステップＳ２６０４では、第１のワンタッチアプリ座標においてドラッグを検出する。図２８の例を参照して説明する。ワンタッチコピー６ボタン２７２２が操作指２８９０によって長押しされたことを検出する。
【０１０２】
ステップＳ２６０６では、第１を除く同一機能カテゴリのワンタッチアプリ数だけ、ステップＳ２６１６までの処理を繰り返す。
ステップＳ２６０８では、同一機能カテゴリのワンタッチアプリの同一でないパラメータの数（差分数）を検出する。前述した図２３のステップＳ２３０８と同等の処理を行えばよい。
ステップＳ２６１０では、差分数を第１以外の各ワンタッチアプリのアイコンに付与してバッジを表示する。前述した図２３のステップＳ２３１０と同等の処理を行えばよい。
【０１０３】
ステップＳ２６１２では、閾値以上、差分が多いワンタッチアプリは、濃度を薄くして表示する。図２９の例を参照して説明する。図２９は、本実施の形態による処理例を示す説明図である。ワンタッチコピー１ボタン２７１０にバッジ２９１０を表示し、ワンタッチコピー２ボタン２７１２にバッジ２９１２を表示し、ワンタッチコピー３ボタン２７１４にバッジ２９１４を表示し、ワンタッチコピー４ボタン２７１６にバッジ２９１６を表示し、ワンタッチコピー５ボタン２７２０にバッジ２９２０を表示する。そして、閾値より多くの差分があるアイコンは濃淡を薄くして表示する。具体的には、ワンタッチコピー１ボタン２７１０、ワンタッチコピー２ボタン２７１２を薄くして表示する。なお、ワンタッチコピー６ボタン２７２２と同一カテゴリではないワンタッチファックスボタン２７１８は表示していない。
【０１０４】
ステップＳ２６１４では、差分数が少ない第２のアプリほど、第１のアプリの近接に表示する。図３０の例を参照して説明する。具体的には、差分数が少ないワンタッチコピー４ボタン２７１６、ワンタッチコピー５ボタン２７２０、ワンタッチコピー３ボタン２７１４は、ワンタッチコピー６ボタン２７２２の周辺に移動し、ワンタッチコピー１ボタン２７１０、ワンタッチコピー２ボタン２７１２は、ワンタッチコピー６ボタン２７２２から遠くに移動させている。もちろんのことながら、ワンタッチコピー１ボタン２７１０とワンタッチコピー２ボタン２７１２は、濃度を薄くしたままの移動である。
ステップＳ２６１６では、すべての第１を除く同一機能カテゴリのワンタッチアプリの処理が終了するまで、ステップＳ２６０６からの処理を繰り返す。
ステップＳ２６１８では、第２のワンタッチアプリ座標においてドロップを検出する。つまり、ユーザーの操作によって、ワンタッチコピー６ボタン２７２２と比較したいアイコンの上に移動させる操作が行われたことを検出する。
【０１０５】
ステップＳ２６２０では、第１と第２のアプリは同一機能カテゴリであるか否かを判断し、同一機能カテゴリの場合はステップＳ２６２２へ進み、それ以外の場合はステップＳ２６３０へ進む。
ステップＳ２６２２では、記憶された設定パラメータに違いがあるか否かを判断し、ある場合はステップＳ２６２４へ進み、それ以外の場合はステップＳ２６３０へ進む。
ステップＳ２６２４では、差分確認用画面を表示する。前述した図８の例に示すような表示を行う。
【０１０６】
ステップＳ２６２６では、第１と第２のアプリのタイトル・アイコンを並べてタイトル部に表示する。
ステップＳ２６２８では、第１と第２の記憶パラメータの名称、値を並べて表示する。
ステップＳ２６３０では、差分数のバッジを削除し、濃度を戻し、並び順を戻し、ステップＳ２６０２へ戻る。
【０１０７】
図３１は、本実施の形態による処理例を示すフローチャートである。
図３１の例に示すフローチャートは、図４の例に示すフローチャートのステップＳ４０４、Ｓ４０６をステップＳ３１０４〜Ｓ３１１８に変更し、ステップＳ３１３０を加えたものである。図２６の例では、２つのアイコンを選択するのに、ドラッグ・アンド・ドロップを用いたが、図３１の例では、マルチタッチ操作を用いている。
【０１０８】
ステップＳ３１０２では、ホーム画面を表示する。前述した図２７の例に示すような表示を行う。
ステップＳ３１０４では、第１のワンタッチアプリへのタッチを検出する。前述した図２８の例に示すような表示を行う。
【０１０９】
ステップＳ３１０６では、第１を除く同一機能カテゴリのワンタッチアプリ数だけ、ステップＳ３１１６までの処理を繰り返す。
ステップＳ３１０８では、同一機能カテゴリのワンタッチアプリの同一でないパラメータの数（差分数）を検出する。前述した図２３のステップＳ２３０８と同等の処理を行えばよい。
ステップＳ３１１０では、差分数を第１以外の各ワンタッチアプリのアイコンに付与してバッジを表示する。前述した図２３のステップＳ２３１０と同等の処理を行えばよい。
【０１１０】
ステップＳ３１１２では、閾値以上、差分が多いワンタッチアプリは、濃度を薄くして表示する。前述した図２９の例に示すような表示を行う。
ステップＳ３１１４では、差分数が少ない第２のアプリほど、第１のアプリの近接に表示する。前述した図３０の例に示すような表示を行う。
ステップＳ３１１６では、すべての第１を除く同一機能カテゴリのワンタッチアプリの処理が終了するまで、ステップＳ３１０６からの処理を繰り返す。
ステップＳ３１１８では、第２のワンタッチアプリへのタッチを検出する。この時点で、２つのアイコンが選択されたことを検出したことになり、いわゆるマルチタッチを検出することになる。
【０１１１】
ステップＳ３１２０では、第１と第２のアプリは同一機能カテゴリであるか否かを判断し、同一機能カテゴリの場合はステップＳ３１２２へ進み、それ以外の場合はステップＳ３１３０へ進む。
ステップＳ３１２２では、記憶された設定パラメータに違いがあるか否かを判断し、ある場合はステップＳ３１２４へ進み、それ以外の場合はステップＳ２６３０へ進む。
ステップＳ３１２４では、差分確認用画面を表示する。前述した図８の例に示すような表示を行う。
【０１１２】
ステップＳ３１２６では、第１と第２のアプリのタイトル・アイコンを並べてタイトル部に表示する。
ステップＳ３１２８では、第１と第２の記憶パラメータの名称、値を並べて表示する。
ステップＳ３１３０では、差分数のバッジを削除し、濃度を戻し、並び順を戻し、ステップＳ３１０２へ戻る。
【０１１３】
図３２は、本実施の形態による処理例を示すフローチャートである。
図３２の例に示すフローチャートは、図４の例に示すフローチャートに、ステップＳ３２１８〜Ｓ３２２６を加えたものである。設定値を比較する必要があるアイコンであるので、その後のために、アイコンの名称を変更することを推奨する処理を行うものである。その際に、両者のアイコンで異なる設定値名又は設定値を含む名称をデフォルトの名称として提案することを行うようにしている。
【０１１４】
ステップＳ３２０２では、ホーム画面を表示する。前述した図５の例に示すような表示を行う。
ステップＳ３２０４では、第１のワンタッチアプリ座標においてドラッグを検出する。前述した図６の例に示すような表示を行う。
ステップＳ３２０６では、第２のワンタッチアプリ座標においてドロップを検出する。前述した図７の例に示すような表示を行う。
ステップＳ３２０８では、第１と第２のアプリは同一機能カテゴリであるか否かを判断し、同一機能カテゴリの場合はステップＳ３２１０へ進み、それ以外の場合はステップＳ３２０２へ戻る。
ステップＳ３２１０では、記憶された設定パラメータに違いがあるか否かを判断し、ある場合はステップＳ３２１２へ進み、それ以外の場合はステップＳ３２０２へ戻る。
【０１１５】
ステップＳ３２１２では、差分確認用画面を表示する。
ステップＳ３２１４では、第１と第２のアプリのタイトル・アイコンを並べてタイトル部に表示する。
ステップＳ３２１６では、第１と第２の記憶パラメータの名称、値を並べて表示する。図３３（ａ）の例に示すような表示を行う。この例は、図８と同等な画面である。
【０１１６】
ステップＳ３２１８では、差分パラメータ名が入ったワンタッチアプリ名称であるか否かを判断し、差分パラメータ名が入ったワンタッチアプリ名称の場合はステップＳ３２２０へ進み、それ以外の場合はステップＳ３２０２へ戻る。
ステップＳ３２２０では、ワンタッチアプリ名称変更確認画面を表示する。図３３（ｂ）の例を参照して説明する。画面５００には、例えば「間違い防止のためワンタッチアプリの名称を変更することをおすすめします。変更しますか？」と表示し、変更するボタン３３１０、変更しないボタン３３２０を表示する。
【０１１７】
ステップＳ３２２２では、ユーザーはワンタッチアプリ名称変更することに同意したか否かを判断し、同意した場合はステップＳ３２２４へ進み、それ以外の場合はステップＳ３２０２へ戻る。図３３（ｂ）の例では、変更するボタン３３１０が選択された場合が同意した場合に該当し、変更しないボタン３３２０が選択された場合が同意しなかった場合に該当する。
ステップＳ３２２４では、ワンタッチアプリ名称変更画面を表示する。図３３（ｃ）の例を参照して説明する。画面３３３０には、アイコンＡ領域３３４０Ａ、アイコンＢ領域３３４０Ｂ、ＯＫボタン３３６０、閉じるボタン３３６２を表示する。
【０１１８】
ステップＳ３２２６では、ワンタッチアプリ名称に差分があるパラメータ名＿値が入った名称をデフォルト値にして表示する。図３３（ｃ）の例では、アイコンＡ領域３３４０Ａには、アイコンＡ名称編集領域３３４２Ａを表示し、アイコンＡ名称編集領域３３４２Ａには例えば「Ｃｏｐｙ＿２Ｓｉｄｅｄ＿１ｔｏ２ｓｉｄｅｄ＿Ｏｕｔｐｕｔ＿Ｃｏｌｏｒ」と表示する。アイコンＢ領域３３４０Ｂには、アイコンＢ名称編集領域３３４２Ｂを表示し、アイコンＢ名称編集領域３３４２Ｂには例えば「Ｃｏｐｙ＿２Ｓｉｄｅｄ＿Ａｕｔｏ＿Ｏｕｔｐｕｔ＿Ｂ＆Ｗ」と表示する。２つのアイコンで、異なっている設定及び設定値を用いて、アイコン名称を生成している。
【０１１９】
図３４は、本実施の形態による処理例を示すフローチャートである。
図３４の例に示すフローチャートは、図４の例に示すフローチャートのステップＳ４０４、Ｓ４０６をステップＳ３４０４、Ｓ３４０６に変更し、ステップＳ３４１８〜Ｓ３４２６を加えたものである。図３２の例では、２つのアイコンを選択するのに、ドラッグ・アンド・ドロップを用いたが、図３４の例では、マルチタッチ操作を用いている。
【０１２０】
ステップＳ３４０２では、ホーム画面を表示する。前述した図５の例に示すような表示を行う。
ステップＳ３４０４では、第１のワンタッチアプリへのタッチを検出する。
ステップＳ３４０６では、第２のワンタッチアプリへのタッチを検出する。
ステップＳ３４０８では、第１と第２のアプリは同一機能カテゴリであるか否かを判断し、同一機能カテゴリの場合はステップＳ３４１０へ進み、それ以外の場合はステップＳ３４０２へ戻る。
ステップＳ３４１０では、記憶された設定パラメータに違いがあるか否かを判断し、ある場合はステップＳ３４１２へ進み、それ以外の場合はステップＳ３４０２へ戻る。
【０１２１】
ステップＳ３４１２では、差分確認用画面を表示する。
ステップＳ３４１４では、第１と第２のアプリのタイトル・アイコンを並べてタイトル部に表示する。
ステップＳ３４１６では、第１と第２の記憶パラメータの名称、値を並べて表示する。前述した図３３（ａ）の例に示すような表示を行う。
【０１２２】
ステップＳ３４１８では、差分パラメータ名が入ったワンタッチアプリ名称であるか否かを判断し、差分パラメータ名が入ったワンタッチアプリ名称の場合はステップＳ３４２２へ進み、それ以外の場合はステップＳ３４０２へ戻る。
ステップＳ３４２０では、ワンタッチアプリ名称変更確認画面を表示する。前述した図３３（ｂ）の例に示すような表示を行う。
ステップＳ３４２２では、ユーザーはワンタッチアプリ名称変更することに同意したか否かを判断し、同意した場合はステップＳ３４２４へ進み、それ以外の場合はステップＳ３４０２へ戻る。
ステップＳ３４２４では、ワンタッチアプリ名称変更確認画面を表示する。前述した図３３（ｃ）の例に示すような表示を行う。
ステップＳ３４２６では、ワンタッチアプリ名称に差分があるパラメータ名＿値が入った名称をデフォルト値にして表示する。
【０１２３】
図３５は、本実施の形態による処理例を示すフローチャートである。選択されたアイコンがワンタッチアプリである場合に、その選択されたアイコンのアプリケーションと設定値が類似するアプリケーションを比較可能に表示し、実行するアプリケーションの確認を促すようにしたものである。
【０１２４】
ステップＳ３５０２では、ホーム画面を表示する。前述した図５の例に示すような表示を行う。
ステップＳ３５０４では、即時実行型のワンタッチアプリの押下を検知する。図３６（ａ）の例を参照して説明する。ここでは、ワンタッチコピー３ボタン５２２が、ユーザーの操作指６９０を用いて選択された例を示している。なお、ワンタッチコピー３ボタン５２２は、ワンタッチアプリである。
ステップＳ３５０６では、同一カテゴリであり、名称にパラメータ名が入っていない、パラメータの差分が閾値以内の類似のアプリが存在するか否かを判断し、存在する場合はステップＳ３５０８へ進み、それ以外の場合はステップＳ３５２２へ進む。ユーザーにとって、アイコン名称だけでは見分けがつかないような複数のアイコンがあるか否かを判断していることになる。
【０１２５】
ステップＳ３５０８では、類似アプリが２つであるか、または３つ以上であるかを判断し、３つ以上の場合はステップＳ３５１０へ進み、２つである場合はステップＳ３５１４へ進む。なお、類似アプリの数は、ステップＳ３５０４で検知されたアイコンのアプリケーションを含めて計数している。また、ここでの類似アプリとは、ステップＳ３５０４で検知されたアイコンのアプリケーションと異なる設定値の数が予め定められた数以下又は未満であるワンタッチアプリである。さらに、（１）ステップＳ３５０４で検知されたアイコンのアプリケーションと同一カテゴリであること、（２）ステップＳ３５０４で検知されたアイコンのアプリケーションにおける設定値の差分が閾値以内であること、（３）名前にパラメータ名が入っていないこと、のいずれか１つ以上を類似アプリの条件として付加するようにしてもよい。
【０１２６】
ステップＳ３５１０では、類似アプリ一覧を表示する。図３６（ｃ）の例を参照して説明する。この例は、類似のアプリが３つ以上の場合である。差分・アプリ表示領域３６００には、アイコンＡ領域３６６２Ａ、アイコンＢ領域３６６２Ｂ、「差分を確認」ボタン３６６４Ａ、「差分を確認」ボタン３６６４Ｂ、「ワンタッチコピー３を実行」ボタン３６７０、キャンセルボタン３６７２、「今後はこの画面を表示しない」ボタン３６７４を表示する。複数アプリ表示領域３６６０には、例えば「類似のアプリが存在します。実行しますか？」と表示する。ワンタッチコピー３ボタン５２２に類似するアプリケーションとして、ワンタッチコピー１ボタン５１８、ワンタッチコピー２ボタン５２０があると判断された場合の例である。ユーザーの操作指３６９０によって「差分を確認」ボタン３６６４Ｂが選択された場合、図３６（ｂ）の例に示す比較画面に遷移する。もちろんのことながら、「差分を確認」ボタン３６６４Ａが選択された場合、図３６（ｂ）の例に示す画面と同様に、ワンタッチコピー３ボタン５２２とワンタッチコピー１ボタン５１８の設定値の比較画面に遷移する。また、「ワンタッチコピー３を実行」ボタン３６７０が選択された場合は、ステップＳ３５０４で検知されたアイコンのアプリケーションを実行することになる。キャンセルボタン３６７２が選択された場合は、ステップＳ３５０４で検知されたアイコンの選択を取り消す。「今後はこの画面を表示しない」ボタン３６７４が選択された場合は、この後、ステップＳ３５０４で検知されたアイコンが選択された場合、この差分・アプリ表示領域３６００を表示せずに、そのアイコンのアプリケーションを実行することになる。
【０１２７】
ステップＳ３５１２では、ユーザーは差分確認ボタンを選択したか否かを判断し、選択した場合はステップＳ３５１４へ進み、それ以外の場合はステップＳ３５２２へ進む。
ステップＳ３５１４では、差分確認用画面を表示する。
ステップＳ３５１６では、第１と第２のアプリのタイトル・アイコンを並べてタイトル部に表示する。
ステップＳ３５１８では、第１と第２の記憶パラメータの名称、値を並べて表示する。図３６（ｂ）の例を参照して説明する。図３６（ｂ）の例は、類似のアプリが２つのみの場合、又は、図３６（ｃ）の例に示す「差分を確認」ボタン３６６４が選択された場合の表示例を示すものである。差分・アプリ表示領域３６００には、アイコンＡ領域３６１０Ａ、アイコンＢ領域３６１０Ｂ、項目表示領域３６１５、設定値表示領域３６２０Ａ、設定値表示領域３６２０Ｂ、「ワンタッチコピー３を実行」ボタン３６５０、「ワンタッチコピー２を実行」ボタン３６５２、キャンセルボタン３６５４、「今後はこの画面を表示しない」ボタン３６５６を表示する。差分・アプリ表示領域３６００には、例えば「類似のアプリが存在します。実行しますか？」と表示する。項目表示領域３６１５には、例えば項目として「２−Ｓｉｄｅｄ」と表示している。設定値表示領域３６２０Ａには、項目「２−Ｓｉｄｅｄ」の設定値として、「１→２−Ｓｉｄｅｄ」が設定されていることを表示している。設定値表示領域３６２０Ｂには、項目「２−Ｓｉｄｅｄ」の設定値として、「Ａｕｔｏ」が設定されていることを表示している。「ワンタッチコピー３を実行」ボタン３６５０が選択された場合は、ステップＳ３５０４で検知されたアイコンであるワンタッチアコピー３のアプリケーションを実行することになる。「ワンタッチコピー２を実行」ボタン３６５２が選択された場合は、ステップＳ３５０４で検知されたアイコンのアプリケーションと類似するワンタッチアコピー２のアプリケーションを実行することになる。キャンセルボタン３６５４が選択された場合は、ステップＳ３５０４で検知されたアイコンの選択を取り消す。「今後はこの画面を表示しない」ボタン３６５６が選択された場合は、この後、ステップＳ３５０４で検知されたアイコンが選択された場合、この差分・アプリ表示領域３６００を表示せずに、そのアイコンのアプリケーションを実行することになる。
【０１２８】
ステップＳ３５２０では、ユーザーはジョブ開始を選択したか否かを判断し、選択した場合はステップＳ３５２２へ進み、それ以外の場合はステップＳ３５０２へ戻る。例えば、図３６（ｃ）の例に示す「ワンタッチコピー３を実行」ボタン３６７０、図３６（ｂ）の例に示す「ワンタッチコピー３を実行」ボタン３６５０、「ワンタッチコピー２を実行」ボタン３６５２が選択された場合が、「ジョブ開始を選択した」に該当する。
ステップＳ３５２２では、対象となっているアイコンに対応付けられたアプリケーションのジョブを実行し、ステップＳ３５０２へ戻る。
【０１２９】
図３７は、本実施の形態による処理例を示すフローチャートである。
図３７の例に示すフローチャートは、図４の例に示すフローチャートに、ステップＳ３７１８〜Ｓ３７２８を加えたものである。類似のワンタッチアプリのアイコンをグループ化する処理を行うものである。
【０１３０】
ステップＳ３７０２では、ホーム画面を表示する。前述した図５の例に示すような表示を行う。
ステップＳ３７０４では、第１のワンタッチアプリ座標においてドラッグを検出する。前述した図６の例に示すような表示を行う。
ステップＳ３７０６では、第２のワンタッチアプリ座標においてドロップを検出する。前述した図７の例に示すような表示を行う。
【０１３１】
ステップＳ３７０８では、第１と第２のアプリは同一機能カテゴリであるか否かを判断し、同一機能カテゴリの場合はステップＳ３７１０へ進み、それ以外の場合はステップＳ３７０２へ戻る。
ステップＳ３７１０では、記憶された設定パラメータに違いがあるか否かを判断し、ある場合はステップＳ３７１２へ進み、それ以外の場合はステップＳ３７０２へ戻る。
【０１３２】
ステップＳ３７１２では、差分確認用画面を表示する。
ステップＳ３７１４では、第１と第２のアプリのタイトル・アイコンを並べてタイトル部に表示する。
ステップＳ３７１６では、第１と第２の記憶パラメータの名称、値を並べて表示する。図３８（ａ）の例に示すように、画面３８００に差分表示領域８００を表示する。前述した図８の例と同等のものである。
【０１３３】
ステップＳ３７１８では、類似のワンタッチアプリが存在するか否かを判断し、存在する場合はステップＳ３７２０へ進み、それ以外の場合はステップＳ３７０２へ戻る。
ステップＳ３７２０では、同一カテゴリのワンタッチアプリをフォルダにまとめる確認画面を表示する。図３８（ｂ）の例を参照して説明する。画面３８００には、例えば「類似のアプリが複数存在します。同一カテゴリのワンタッチアプリをフォルダにまとめますか？」と表示し、はいボタン３８１０、いいえボタン３８２０を表示する。
【０１３４】
ステップＳ３７２２では、フォルダにまとめることをユーザーは選択したか否かを判断し、選択した場合はステップＳ３７２４へ進み、それ以外の場合はステップＳ３７０２へ戻る。図３８（ｂ）の例に示したはいボタン３８１０の選択が「フォルダにまとめることを選択」に該当し、いいえボタン３８２０の選択が「フォルダにまとめることを選択していない」に該当する。
ステップＳ３７２４では、同一カテゴリ用のフォルダを作成する。
ステップＳ３７２６では、同一カテゴリ用のフォルダ名称を設定する。
ステップＳ３７２８では、同一カテゴリ用のフォルダに同一カテゴリのワンタッチアプリを格納する。図３８（ｃ）の例を参照して説明する。画面３８００には、コピーボタン５１０、ファックスボタン５１２、プリントボタン５１４、スキャン・メールボタン５１６の他に、グループボタン３８３０を表示している。グループボタン３８３０内には、多用１ボタン３８３２、多用２ボタン３８３４、多用３ボタン３８３６を含めて表示している。つまり、多用１ボタン３８３２、多用２ボタン３８３４、多用３ボタン３８３６をグループ化してグループボタン３８３０を生成したものである。
多用１ボタン３８３２はワンタッチコピー１ボタン５１８に対応し、多用２ボタン３８３４はワンタッチコピー２ボタン５２０に対応し、多用３ボタン３８３６はワンタッチコピー３ボタン５２２に対応する。
【０１３５】
図３９は、本実施の形態による処理例を示すフローチャートである。
図３９の例に示すフローチャートは、図４の例に示すフローチャートのステップＳ４０４、Ｓ４０６をステップＳ３９０４、Ｓ３９０６に変更し、ステップＳ３９１８〜Ｓ３９２８を加えたものである。図３７の例では、２つのアイコンを選択するのに、ドラッグ・アンド・ドロップを用いたが、図３９の例では、マルチタッチ操作を用いている。
【０１３６】
ステップＳ３９０２では、ホーム画面を表示する。前述した図５の例に示すような表示を行う。
ステップＳ３９０４では、第１のワンタッチアプリへのタッチを検出する。
ステップＳ３９０６では、第２のワンタッチアプリへのタッチを検出する。
【０１３７】
ステップＳ３９０８では、第１と第２のアプリは同一機能カテゴリであるか否かを判断し、同一機能カテゴリの場合はステップＳ３９１０へ進み、それ以外の場合はステップＳ３９０２へ戻る。
ステップＳ３９１０では、記憶された設定パラメータに違いがあるか否かを判断し、ある場合はステップＳ３９１２へ進み、それ以外の場合はステップＳ３９０２へ戻る。
【０１３８】
ステップＳ３９１２では、差分確認用画面を表示する。
ステップＳ３９１４では、第１と第２のアプリのタイトル・アイコンを並べてタイトル部に表示する。
ステップＳ３９１６では、第１と第２の記憶パラメータの名称、値を並べて表示する。前述した図３８（ａ）の例に示すような表示を行う。
【０１３９】
ステップＳ３９１８では、類似のワンタッチアプリが存在するか否かを判断し、存在する場合はステップＳ３９２０へ進み、それ以外の場合はステップＳ３９０２へ戻る。
ステップＳ３９２０では、同一カテゴリのワンタッチアプリをフォルダにまとめる確認画面を表示する。前述した図３８（ｂ）の例に示すような表示を行う。
ステップＳ３９２２では、フォルダにまとめることをユーザーは選択したか否かを判断し、選択した場合はステップＳ３９２４へ進み、それ以外の場合はステップＳ３９０２へ戻る。
【０１４０】
ステップＳ３９２４では、同一カテゴリ用のフォルダを作成する。
ステップＳ３９２６では、同一カテゴリ用のフォルダ名称を設定する。
ステップＳ３９２８では、同一カテゴリ用のフォルダに同一カテゴリのワンタッチアプリを格納する。前述した図３８（ｃ）の例に示すような表示を行う。
【０１４１】
図４０を参照して、本実施の形態の情報処理装置１００のハードウェア構成例について説明する。図４０に示す構成は、例えばパーソナルコンピュータ等によって構成されるものであり、スキャナ等のデータ読み取り部４０１７と、プリンタ等のデータ出力部４０１８を備えたハードウェア構成例を示している。
【０１４２】
ＣＰＵ（Ｃｅｎｔｒａｌ  Ｐｒｏｃｅｓｓｉｎｇ  Ｕｎｉｔの略）４００１は、前述の実施の形態において説明した各種のモジュール、すなわち、操作検知モジュール１０５、図像管理モジュール１１０、名称提案モジュール１１５、抽出モジュール１２０、グループ化モジュール１２５、表示モジュール１３０、図像配置モジュール１３５等の各モジュールの実行シーケンスを記述したコンピュータ・プログラムにしたがった処理を実行する制御部である。
【０１４３】
ＲＯＭ（Ｒｅａｄ  Ｏｎｌｙ  Ｍｅｍｏｒｙの略）４００２は、ＣＰＵ４００１が使用するプログラムや演算パラメータ等を格納する。ＲＡＭ（Ｒａｎｄｏｍ  Ａｃｃｅｓｓ  Ｍｅｍｏｒｙの略）４００３は、ＣＰＵ４００１の実行において使用するプログラムや、その実行において適宜変化するパラメータ等を格納する。これらはＣＰＵバス等から構成されるホストバス４００４により相互に接続されている。
【０１４４】
ホストバス４００４は、ブリッジ４００５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅの略）バス等の外部バス４００６に接続されている。
【０１４５】
キーボード４００８、マウス等のポインティングデバイス４００９は、操作者により操作されるデバイスである。ディスプレイ４０１０は、液晶表示装置又はＣＲＴ（Ｃａｔｈｏｄｅ  Ｒａｙ  Ｔｕｂｅの略）等があり、各種情報をテキストやイメージ情報として表示する。また、ポインティングデバイス４００９とディスプレイ４０１０の両方の機能を備えているタッチスクリーン等であってもよい。その場合、キーボードの機能の実現について、キーボード４００８のように物理的に接続しなくても、画面（例えば、タッチスクリーン）上にソフトウェアでキーボード（いわゆるソフトウェアキーボード、スクリーンキーボード等ともいわれる）を描画して、キーボードの機能を実現するようにしてもよい。
【０１４６】
ＨＤＤ（Ｈａｒｄ  Ｄｉｓｋ  Ｄｒｉｖｅの略）４０１１は、ハードディスク（ハードディスク以外に、フラッシュ・メモリ等であってもよい）を内蔵し、ハードディスクを駆動し、ＣＰＵ４００１によって実行するプログラムや情報を記録又は再生させる。ＨＤＤ４０１１は、アイコン管理テーブル３００、図像管理モジュール１１０による処理の結果データ等を記憶する。さらに、その他の各種データ、各種コンピュータ・プログラム等が格納される。
【０１４７】
ドライブ４０１２は、装着されている磁気ディスク、光ディスク、光磁気ディスク、又は半導体メモリ等のリムーバブル記録媒体４０１３に記録されているデータ又はプログラムを読み出して、そのデータ又はプログラムを、インタフェース４００７、外部バス４００６、ブリッジ４００５、及びホストバス４００４を介して接続されているＲＡＭ４００３に供給する。なお、リムーバブル記録媒体４０１３も、データ記録領域として利用可能である。
【０１４８】
接続ポート４０１４は、外部接続機器４０１５を接続するポートであり、ＵＳＢ、ＩＥＥＥ１３９４等の接続部を持つ。接続ポート４０１４は、インタフェース４００７、及び外部バス４００６、ブリッジ４００５、ホストバス４００４等を介してＣＰＵ４００１等に接続されている。通信部４０１６は、通信回線に接続され、外部とのデータ通信処理を実行する。データ読み取り部４０１７は、例えばスキャナであり、ドキュメントの読み取り処理を実行する。データ出力部４０１８は、例えばプリンタであり、ドキュメントデータの出力処理を実行する。
【０１４９】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図４０に示す情報処理装置１００のハードウェア構成は、１つの構成例を示すものであり、本実施の形態は、図４０に示す構成に限らず、本実施の形態において説明したモジュールを実行可能な構成であればよい。例えば、一部のモジュールを専用のハードウェア（例えば特定用途向け集積回路（具体例として、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔの略）等がある）や再構成可能な集積回路（具体例として、ＦＰＧＡ（ｆｉｅｌｄ−ｐｒｏｇｒａｍｍａｂｌｅ  ｇａｔｅ  ａｒｒａｙの略）等がある）で構成してもよく、一部のモジュールは外部のシステム内にあり通信回線で接続している形態でもよく、さらに図４０に示すシステムが複数互いに通信回線によって接続されていて互いに協調動作するようにしてもよい。また、特に、パーソナルコンピュータの他、携帯情報通信機器（携帯情報通信機器として、携帯電話、スマートフォン、モバイル機器、ウェアラブルコンピュータ等を含む）、情報家電、ロボット、複写機、ファックス、スキャナ、プリンタ、複合機などに組み込まれていてもよい。
【０１５０】
また、前述の実施の形態の説明内での比較処理において、「以上」、「以下」、「より大きい」、「より小さい（未満）」としたものは、例示であって、その組み合わせに矛盾が生じない限り、それぞれ「より大きい」、「より小さい（未満）」、「以上」、「以下」としてもよい。
【０１５１】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌの略）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【０１５２】
１００…情報処理装置
１０５…操作検知モジュール
１１０…図像管理モジュール
１１５…名称提案モジュール
１２０…抽出モジュール
１２５…グループ化モジュール
１３０…表示モジュール
１３５…図像配置モジュール
２００…画像処理装置
２１０…表示装置
２５０…ユーザー
２９０…通信回線
【図１】
2020113021.tif 000003
【図２】
2020113021.tif 000004
【図３】
2020113021.tif 000005
【図４】
2020113021.tif 000006
【図５】
2020113021.tif 000007
【図６】
2020113021.tif 000008
【図７】
2020113021.tif 000009
【図８】
2020113021.tif 000010
【図９】
2020113021.tif 000011
【図１０】
2020113021.tif 000012
【図１１】
2020113021.tif 000013
【図１２】
2020113021.tif 000014
【図１３】
2020113021.tif 000015
【図１４】
2020113021.tif 000016
【図１５】
2020113021.tif 000017
【図１６】
2020113021.tif 000018
【図１７】
2020113021.tif 000019
【図１８】
2020113021.tif 000020
【図１９】
2020113021.tif 000021
【図２０】
2020113021.tif 000022
【図２１】
2020113021.tif 000023
【図２２】
2020113021.tif 000024
【図２３】
2020113021.tif 000025
【図２４】
2020113021.tif 000026
【図２５】
2020113021.tif 000027
【図２６】
2020113021.tif 000028
【図２７】
2020113021.tif 000029
【図２８】
2020113021.tif 000030
【図２９】
2020113021.tif 000031
【図３０】
2020113021.tif 000032
【図３１】
2020113021.tif 000033
【図３２】
2020113021.tif 000034
【図３３】
2020113021.tif 000035
【図３４】
2020113021.tif 000036
【図３５】
2020113021.tif 000037
【図３６Ａ】
2020113021.tif 000038
【図３６Ｂ】
2020113021.tif 000039
【図３７Ａ】
2020113021.tif 000040
【図３７Ｂ】
2020113021.tif 000041
【図３８Ａ】
2020113021.tif 000042
【図３８Ｂ】
2020113021.tif 000043
【図３９Ａ】
2020113021.tif 000044
【図３９Ｂ】
2020113021.tif 000045
【図４０】
2020113021.tif 000046